(57)【要約】【課題】遊技機を何度も別の遊技機島に移しかえても、ガタ付きを発生させずに遊技機の外枠と島枠を容易に取り付けることができる構造を提供する。【解決手段】パチンコ機の外枠を構成している天枠材２０の釘で取り付けられる部分を、硬い材質で透光性を有する釘案内パーツ２４で構成する。この釘案内パーツには、島枠を構成している上枠材１４の釘が打ち込まれる部分に向けて開口している多数の釘挿通穴２４ｄが設けられている。上枠材１４の釘が打ち込まれる部分が、釘打ちパーツ３０で構成している。この釘打ちパーツは、釘打ち方向から外力が作用すると上枠材に係止し、釘打ち方向に対して逆方向から外力が作用すると上枠材から外れる構造となっている。【選択図】        図４
2004166727.tif 000002
【特許請求の範囲】
【請求項１】
遊技機の外枠を遊技機島の島枠内に嵌め込み、前記外枠の枠材及び前記島枠の枠材同士を釘で取り付ける構造において、
前記外枠の枠材の前記釘で取り付けられる部分を、前記外枠の枠材に一体化した硬い材質の釘案内パーツで構成し、この釘案内パーツには、前記島枠の枠材の釘が打ち込まれる部分に向けて開口している多数の釘挿通穴が設けられていることを特徴とする遊技機島への遊技機の取付け構造。
【請求項２】
遊技機の外枠を遊技機島の島枠内に嵌め込み、前記外枠の枠材及び前記島枠の枠材同士を釘で取り付ける構造において、
前記外枠の枠材の前記釘で取り付けられる部分を、前記外枠の枠材に着脱自在に一体化した硬い材質の釘案内パーツで構成し、この釘案内パーツには、前記島枠の枠材の釘が打ち込まれる部分に向けて開口している少なくとも１つの釘挿通穴が設けられているとともに、前記枠材に対する前記釘案内パーツの組み付け位置を変化させることで前記島枠の枠材の釘が打ち込まれる部分に対する前記釘挿通穴の位置が変化するようにしたことを特徴とする遊技機島への遊技機の取付け構造。
【請求項３】
前記釘案内パーツは、前記島枠の釘で取り付ける部分が目視可能な透光性を有していることを特徴とする請求項１又は２記載の遊技機島への遊技機の取付け構造。
【請求項４】
前記島枠の枠材の釘が打ち込まれる部分を、前記枠材に着脱自在に一体化された釘打ちパーツで構成したことを特徴とする請求項１乃至３の何れかに記載の遊技機島への遊技機の取付け構造。
【請求項５】
前記釘打ちパーツは、釘打ち方向から外力が作用すると前記枠材に係止し、前記釘打ち方向に対して逆方向から外力が作用すると前記枠材から外れる構造となっていることを特徴とする請求項４記載の遊技機島への遊技機の取付け構造。
【請求項６】
前記島枠の枠材の釘が打ち込まれる部分に配置した前記釘打ちパーツと交換可能となるように、前記枠材の所定位置に、交換用の釘打ちパーツを着脱自在に一体化していることを特徴とする請求項４又は５記載の遊技機島への遊技機の取付け構造。
【発明の詳細な説明】
【０００１】
【発明の属する技術分野】
本発明は、遊技機の外枠を遊技機島の島枠内に配置し、それら外枠及び島枠の枠材同士を釘打ちで取り付ける遊技機島への遊技機の取付け構造に関する。
【０００２】
【従来の技術】
パチンコ機を遊技機島に配置する際には、遊技機島に形成した島枠内にパチンコ機を嵌め込み、このパチンコ機の外枠及び島枠の両者を取り付けている。
パチンコ機の外枠及び島枠の取り付けとして、外枠の取付け部分に釘挿入穴を設けておき、この釘挿入穴に挿通した釘の先端部を島枠に打ち込むことで、外枠及び島枠を取り付ける構造がある（例えば、特許文献１。）。また、パチンコ機の外枠に釘挿入穴を設けず、釘を外枠及び島枠の両者に打ち込んで取り付ける場合もある。
【０００３】
【特許文献１】
特開平０８―８４８４０号公報
【０００４】
【発明が解決しようとする課題】
ところで、遊技機島の島枠は、長期間に渡って使用されるのが一般的であり、その期間中に何度もパチンコ機の入れ換えを行うと、島枠の特定位置に、釘を抜いた後の多数の釘穴が集中して開いた状態となる。このため、新たなパチンコ機の外枠を取り付けるために釘を打ち込んでも釘が島枠に確実に固定されずにガタ付きが発生してしまい、パチンコ機の固定すべき取付角度が変化し、経営管理上に不都合が生じるおそれがある。
【０００５】
また、パチンコ機の外枠に釘挿入穴を設けず、釘を外枠及び島枠の両者に打ち込んで取り付ける場合にも、特定のパチンコ機を何度も別の遊技機島に移しかえると、外枠の特定位置に釘穴が集中して開いた状態となる。したがって、釘を打ち込んでもパチンコ機の外枠が島枠に確実に固定されず、前述した問題が発生するおそれがある。
【０００６】
そこで、本発明は上記事情に鑑みてなされたもので、遊技機島の島枠に何度も遊技機の入れ換えを行っても、或いは、遊技機を何度も別の遊技機島に移しかえても、正常に遊技機の外枠と島枠を取り付けることができる遊技機島への遊技機の取付け構造を提供することを目的としている。
【０００７】
【課題を解決するための手段】
請求項１記載の遊技機島への遊技機の取付け構造は、遊技機の外枠を遊技機島の島枠内に嵌め込み、前記外枠の枠材及び前記島枠の枠材同士を釘で取り付ける構造において、前記外枠の枠材の前記釘で取り付けられる部分を、前記外枠の枠材に一体化した硬い材質の釘案内パーツで構成し、この釘案内パーツには、前記島枠の枠材の釘が打ち込まれる部分に向けて開口している多数の釘挿通穴が設けられている。
【０００８】
また、請求項２記載の遊技機島への遊技機の取付け構造は、遊技機の外枠を遊技機島の島枠内に嵌め込み、前記外枠の枠材及び前記島枠の枠材同士を釘で取り付ける構造において、前記外枠の枠材の前記釘で取り付けられる部分を、前記外枠の枠材に着脱自在に一体化した硬い材質の釘案内パーツで構成し、この釘案内パーツには、前記島枠の枠材の釘が打ち込まれる部分に向けて開口している少なくとも１つの釘挿通穴が設けられているとともに、前記枠材に対する前記釘案内パーツの組み付け位置を変化させることで前記島枠の枠材の釘が打ち込まれる部分に対する前記釘挿通穴の位置が変化するようにした。
【０００９】
また、請求項３記載の発明は、請求項１又は２に記載の遊技機島への遊技機の取付け構造において、前記釘案内パーツは、前記島枠の釘で取り付ける部分が目視可能な透光性を有している。
また、請求項４記載の発明は、請求項１乃至３の何れかに記載の遊技機島への遊技機の取付け構造において、前記島枠の枠材の釘が打ち込まれる部分を、前記枠材に着脱自在に一体化された釘打ちパーツで構成した。
【００１０】
また、請求項５記載の発明は、請求項４記載の遊技機島への遊技機の取付け構造において、前記釘打ちパーツは、釘打ち方向から外力が作用すると前記枠材に係止し、前記釘打ち方向に対して逆方向から外力が作用すると前記枠材から外れる構造となっている。
さらに、請求項６記載の発明は、請求項４又は５記載の遊技機島への遊技機の取付け構造において、前記島枠の枠材の釘が打ち込まれる部分に配置した前記釘打ちパーツと交換可能となるように、前記枠材の所定位置に、交換用の釘打ちパーツを着脱自在に一体化した。
【００１１】
【発明の実施の形態】
以下、本発明に係る遊技機島への遊技機の取付け構造の実施形態について、図面を参照して説明する。
図１は、島台２へのパチンコ機４の取付け構造を示す分解斜視図である。島台２は、パチンコ機４の据付台であり、その上面に島枠６が枠組みされ、この島枠６内に、パチンコ機４がパチンコ機外枠（外枠）８を介して取り付けられている。
【００１２】
島枠６は、島台２の上面に設置した下枠材１０上に複数の縦枠材１２，１２が立設し、それら縦島枠材１２，１２の上端に上枠材１４を固定した枠組み構造である。これら下枠材１０、縦枠材１２及び上枠材１４は、木製の板材である。
パチンコ機外枠８は、左右の側枠材１６，１６、底枠材１８及び天枠材２０を四角形状に枠組みした枠体であり、前述した島枠６と同様に、側枠材１６，１６、底枠材１８及び天枠材２０も木製の板材である。
【００１３】
このパチンコ機外枠８の前面の一方の側面には、ヒンジ部２２が固定されており、このヒンジ部２２を介してパチンコ機４がパチンコ機外枠８に着脱自在に装着される。
そして、島枠６内に嵌め込んだパチンコ機外枠８は、パチンコ機外枠８の内側から島枠６に向けて釘を打ち付けることで島枠６に取付けられる。すなわち、パチンコ機外枠８を構成する底枠材１８及び天枠材２０の側枠材１６に寄った位置と、島枠６を構成する下枠材１０及び上枠材１４の縦枠材１２に寄った位置とが、釘が打ち込まれる部分となっている。
【００１４】
ここで、本実施形態では、底枠材１８及び天枠材２０の釘が打ち込まれる部分に釘案内パーツ２４が配置されているとともに、下枠材１０及び上枠材１４の釘が打ち込まれる部分に、釘打ちパーツ３０が配置されている。
図２は、釘案内パーツ２４の具体的な形状を示すものである。なお、この釘案内パーツ２４は、本発明の請求項１に記載した釘案内パーツに相当する。釘案内パーツ２４は、透光性を有する硬い材料で形成されており、大径円筒部２４ａと、小径円筒部２４ｂとが同軸に一体化した形状であり、大径円筒部２４ａの外周側に、互いに所定間隔をあけて軸方向に延在する複数のビス穴２４ｃが形成されている。そして、この釘案内パーツ２４には、使用する釘（図４に示す釘３６）の断面直径より僅かに大きな断面直径の多数の釘挿通穴２４ｄが軸方向に貫通した形成されている。これら釘挿通穴２４ｄの大径円筒部２４ａ側の開口周縁は、ＣカットやＲで面取りが施されている。
【００１５】
図３は、天枠材２０に形成したパーツ嵌合穴２６を示すものである。このパーツ嵌合穴２６は、前記大径円筒部２４ａと略同形状であり、天枠材２０の内側で開口している大径円筒穴２６ａと、この大径円筒部２４ａと同軸に形成されて小径円筒部２４ｂと略同形状であり、天枠材２０の外側で開口している小径円筒穴２６ｂと、大径円筒穴２６ａ及び小径円筒穴２６ｂの間の段差部に互いに所定間隔をあけて形成されているビス係合穴２６ｃとを備えている。
【００１６】
そして、釘案内パーツ２４は、大径円筒部２４ａを下側に位置させた状態でパーツ嵌合穴２６内に配置され、ビス穴２４ｃに挿通したビス２８をビス係合穴２６ｃ内にねじ込むことで、天枠材２０に一体化されている。
また、図示しないが、底枠材１８に形成されているパーツ嵌合穴２６も、天枠材２０に形成したパーツ嵌合穴２６と同形状であり、この底枠材１８のパーツ嵌合穴２６内に、大径円筒部２４ａを上側に位置させた釘案内パーツ２４を配置し、ビス穴２４ｃに挿通したビス２８をビス係合穴２６ｃ内にねじ込むことで、底枠材１８に一体化される。
【００１７】
一方、釘打ちパーツ３０は、図４に示す形状となっている。なお、この釘打ちパーツ３０は、本発明の請求項４に記載した釘打ちパーツに相当する。
釘打ちパーツ３０は、大径円筒部３０ａと、小径円筒部３０ｂとが同軸に一体化した木材からなる部材である。この釘打ちパーツ３０の大径円筒部３０ａの外周側には、互いに所定間隔をあけて軸方向に延在する複数のビス穴３０ｃが形成されている。そして、上枠材１４にはパーツ嵌合穴３２が形成されており、釘打ちパーツ３０の大径円筒部３０ａと略同形状であり、上枠材１４の内側で開口している大径円筒穴３２ａと、この大径円筒穴３２ａと同軸に形成され、上枠材１４の外側で開口している小径円筒穴３２ｂと、大径円筒穴３２ａ及び小径円筒穴３２ｂの間の段差部に互いに所定間隔をあけて形成されているビス係合穴３２ｃとを備えている。
【００１８】
そして、釘打ちパーツ３０は、大径円筒部３０ａを下側に位置させた状態でパーツ嵌合穴３２内に配置され、ビス穴３０ｃに挿通したビス２８をビス係合穴３２ｃ内にねじ込むことで、上枠材１４に一体化されている。
また、図示しないが、下枠材１０に形成されているパーツ嵌合穴３２も、上枠材１４に形成したパーツ嵌合穴３２と同形状であり、この下枠材１０のパーツ嵌合穴３２内に、大径円筒部３０ａを上側に位置させた釘打ちパーツ３０を配置し、ビス穴３０ｃに挿通したビス２８をビス係合穴３２ｃ内にねじ込むことで、釘打ちパーツ３０が下枠材１０に一体化されている。
【００１９】
ここで、島枠６の縦枠材１２にも、釘打ちパーツ３０と同形状で同材質（木材）の交換用パーツ３０Ｋがパーツ嵌合穴に嵌め込まれている。
次に、島枠６内にパチンコ機外枠８を嵌め込み、パチンコ機外枠８の内側から島枠６に向けて釘を打ち付ける際の作用について、上枠材１４及び天枠材２０の取付け構造を示した図４を参照しながら説明する。
【００２０】
釘３６を打ち付ける際には、釘案内パーツ２４の特定の釘挿通穴２４ａに釘３６を挿入する。その際、釘挿通穴２４ｄの大径円筒部２４ａ側の開口周縁は、ＣカットやＲで面取りが施されているので、釘３６が釘挿通穴２４ｄ内に容易に入りやすい。
そして、本実施形態では、釘案内パーツ２４に多数の釘挿通穴２４ｄを設けており、どの釘挿通穴２４ｄを使用してもよいので、打ちつけ作業を容易に行うことができる。
【００２１】
そして、既に釘打ちパーツ３０に釘を抜いた後の釘穴３４が開いていても、透光性を有する釘案内パーツ２４側から、釘打ちパーツ３０の釘穴３４を確認することができる。したがって、釘穴３４と一致しない位置に釘３６を打ち込むことで上枠材１４及び天枠材２０をガタ付きを発生させずに取り付けることができ、パチンコ機４の固定すべき取付角度が変化したりするおそれがない。
【００２２】
また、釘打ちパーツ３０に釘を抜いた後の多数の釘穴が開いている場合には、縦枠材１２のパーツ嵌合穴に嵌め込まれている交換用パーツ３０Ｋを釘打ちパーツ３０と交換して使用すれば、ガタ付きを発生させずに上枠材１４及び天枠材２０の取付け作業を即座に完了することができる。
そして、底枠材１８及び下枠材１０の取付け構造も、上述した作用と同様の作用が得られる。
【００２３】
したがって、パチンコ機４を何度も別の島枠６に移しかえても、パチンコ機外枠８と島枠６を簡単に、且つ確実に取り付けることができる。
なお、本実施形態の釘案内パーツ２４は多数の釘挿通穴２４ｄを形成したが、本発明の要旨がこれに限定されるものではなく、釘案内パーツ全体を格子状の部材で構成し、所定の格子を釘挿通穴とするとともに、格子の隙間から釘打ちパーツ３０の釘穴３４を確認するようにしてもよい。
【００２４】
次に、図５は、他の実施形態の釘案内パーツ３８を天枠材２０に配置した状態を示す図である。この釘案内パーツ３８は、本発明の請求項２に記載した釘案内パーツに相当する。
図５（ａ）に示すように、本実施形態の釘案内パーツ３８は、透光性を有する硬い材料で形成されており、底面３８ａを正６角形状とした６角錐台形状を有している。そして、正６角形状である底面３８ａの中心を通って６等分した領域ａ、ｂ、ｃ、ｄ、ｅ、ｆの一つの領域ａに、一個の釘挿通穴３８ｂが軸方向に貫通して形成されている。
【００２５】
また、天枠材２０に形成されているパーツ嵌合穴３９は６面の内平面を有した穴であり、６角錐台形状の釘案内パーツ３８が嵌まり込んでいる。
釘３６を打ち付ける際には、釘案内パーツ３８の釘挿通穴３８ａを利用するが、既に釘打ちパーツ３０に釘を抜いた後の釘穴３４が開いており、この釘穴３４が釘挿通穴３８ａに一致しているときには、釘案内パーツ３８を底枠材２０から外し、図５（ｂ）に示すように釘案内パーツ３８の釘挿通穴３８ｂが形成されている領域ａの位置を変化させて再度パーツ嵌合穴３９に嵌め込む。
【００２６】
これにより、釘打ちパーツ３０に開いている釘穴３４と一致しない位置に釘３６を打ち込むことで上枠材１４及び天枠材２０をガタ付きを発生させずに取り付けることができ、パチンコ機４の固定すべき取付角度が変化したりするおそれがない。
なお、図５の実施形態では、底面３８ａを正６角形状とした６角錐台形状の釘案内パーツ３８を示したが、他の角錐台形状であっても、同様の作用を得ることができる。
【００２７】
さらに、図６に示すものは、下枠材１０及び上枠材１４の釘が打ち込まれる部分に配置される釘打ちパーツの他の形状を示すものである。
図６（ａ）、（ｂ）で示す釘打ちパーツ４０，４２は、外観が円すい台形状を有しており、図６（ａ）の釘打ちパーツ４０の曲周面には凹部４０ａが形成され、図６（ｂ）の釘打ちパーツ４２のテーパ曲周面の一部には凸部４２ａが形成されている。これら釘打ちパーツ４０，４２が嵌まり込む枠材（下枠材１０、上枠材１４）には、図示しないが、テーパ面と、テーパ面の一部に凹部、或いは凹部を設けたパーツ嵌合穴が形成されている。
【００２８】
図６（ｃ）、（ｄ）で示す釘打ちパーツ４４，４６は、外観が角錐台形状を有しており、図６（ｃ）の釘打ちパーツ４４の側面には凹部４４ａが形成され、図６（ｄ）の釘打ちパーツ４６のテーパ曲周面の一部には凸部４６ａが形成されている。これら釘打ちパーツ４４，４６が嵌まり込む枠材（下枠材１０、上枠材１４）には、図示しないが、角錐台形状の内面と、その内面に凹部、或いは凹部を設けたパーツ嵌合穴が形成されている。
【００２９】
さらに、図６（ｅ）で示す釘打ちパーツ４８は、外観が直方体形状を有しており、側面の一部に凸部４８ａが形成されている。この釘打ちパーツ４８が嵌まり込む枠材（下枠材１０、上枠材１４）には、図示しないが、横断面正方形の内面と、その内面に凹部を設けたパーツ嵌合穴が形成されている。
このような図６（ａ）〜（ｅ）の釘打ちパーツ４０〜４８を使用すると、島枠６のパーツ嵌合穴内に配置する際に、釘を打つ方向からハンマー等で叩くとパーツ嵌合穴に簡単に嵌まり込むので、作業の簡便化を図ることができる。また、パーツ嵌合穴内から取り外す際には、釘を打つ方向に対して逆方向から叩くと、簡単に取り外すことができる。
【００３０】
なお、釘打ちパーツ４０〜４８の色を、島枠６の枠材に対して別の色に設定すると、釘打ち部分が容易にわかるとともに、交換用パーツの位置も容易に確認することができる。
【００３１】
【発明の効果】
以上説明したように、請求項１記載の発明によると、釘案内パーツに、島枠の枠材の釘が打ち込まれる部分に向けて開口している多数の釘挿通穴が設けられていることから、これら釘挿通穴のいずれかを使用して釘打ちを行うことができ、釘打ち作業を容易に行うことができる。そして、島枠の枠材に、釘を抜いた後の釘穴が開いている場合には、その釘穴に一致しない釘挿通穴を利用して釘打ちを行うことで、遊技機の外枠と遊技機島の島枠の枠材同士をガタ付きを発生させずに取り付けることができ、遊技機の固定すべき取付角度が変化したりするおそれがない。
【００３２】
また、請求項２記載の発明によると、島枠の枠材に釘を抜いた後の釘穴が開いている場合には、その釘穴に釘挿通穴が一致しないように釘案内パーツを外枠の枠材に組み付けることで、遊技機の外枠と遊技機島の島枠の枠材同士をガタ付きを発生させずに取り付けることができ、遊技機の固定すべき取付角度が変化したりするおそれがない。
【００３３】
また、請求項３記載の発明によると、島枠側に釘を抜いた後の釘穴が開いていても、透光性を有する釘案内パーツ側から釘穴を確認することができる。したがって、釘穴と一致しない位置に釘を打ち込む動作を簡単に行うことができる。
また、請求項４記載の発明によると、釘を抜いた後の多数の釘穴が開いている釘打ちパーツが島枠の枠材に一体化されている場合には、釘穴の開いていない別の釘打ちパーツを島枠の枠材に一体化することで、遊技機の外枠と遊技機島の島枠の枠材同士をガタ付きを発生させずに取り付けることができる。
【００３４】
また、請求項５記載の発明によると、島枠の枠材に配置した釘打ちパーツを確実に枠材に一体化することができるとともに、別の釘内パーツと交換する際の取り替え作業を簡単に行うことができる。
さらに、請求項６記載の発明によると、枠材の一部に交換用の釘打ちパーツが着脱自在に一体化されているので、釘打ちパーツの交換作業を即座に行うことができる。
【図面の簡単な説明】
【図１】本発明に係る島枠への遊技機の取付け構造を示す分解斜視図である。
【図２】本発明に係る遊技機の外枠に一体化した釘案内パーツを示す図である。
【図３】本発明に係る遊技機の外枠に形成したパーツ嵌合穴と、これに嵌め込まれる釘案内パーツを示す図である。
【図４】本発明に係る遊技機の外枠を構成している天枠材と島枠を構成している上枠材との釘打ちによる取付け状態を示す図である。
【図５】本発明に係る遊技機の外枠に一体化した他の実施形態の釘案内パーツを示す図である。
【図６】本発明を構成している釘打ちパーツの他の形状を示す図である。
【符号の説明】
２  島台（遊技機島）
４  パチンコ機（遊技機）
６  島枠
８  パチンコ機外枠（外枠）
１０  下枠材
１２  縦枠材
１４  上枠材
１６  側枠材
１８  底枠材
２０  天枠材
２４，３８  釘案内パーツ
２４ｄ，３８ｂ  釘挿通穴
２６，３２，３９  パーツ嵌合穴
２６ａ  大径円筒穴
２６ｂ  小径円筒穴
３０  釘打ちパーツ
３０ａ            大径円筒部
３０ｂ            小径円筒部
３０Ｋ            交換用パーツ
３２ａ            大径円筒穴
３２ｂ            小径円筒穴
３６  釘
４０，４２，４４，４６，４８  釘打ちパーツ
【図１】
2004166727.tif 000003
【図２】
2004166727.tif 000004
【図３】
2004166727.tif 000005
【図４】
2004166727.tif 000006
【図５】
2004166727.tif 000007
【図６】
2004166727.tif 000008